(57)【要約】【課題】敷居の溝幅の大きさが異なる場合においても容易に対応できると共に、タイムリーな部品調達を可能とするエレベータ用引き戸装置を得る。【解決手段】エレベータの出入口に設けられた引き戸１と、一端が引き戸の下端部に固定され、他端が敷居３の敷居溝４に案内されるガイド脚５とを備え、ガイド脚５は、敷居溝４の一方の側面に案内される第１のガイド部材７と、敷居溝４の他方の側面に案内される第２のガイド部材８と、第１のガイド部材７と第２のガイド部材８との間に設けられたスペーサとを有している。なお、上記スペーサは、複数の楔状部材９ａ、９ｂが重ね合わせられて形成されている。また、重ね合わせる面に複数の段差部１３ａ、１３ｂが設けられた楔状部材１１ａ、１１ｂとしても良い。【選択図】  図１
2004244155.tif 000002
【特許請求の範囲】
【請求項１】
エレベータの出入口に設けられた引き戸と、一端が前記引き戸の下端部に固定され、他端が敷居の敷居溝に案内されるガイド脚とを備え、前記ガイド脚は、前記敷居溝の一方の側面に案内される第１のガイド部材と、前記敷居溝の他方の側面に案内される第２のガイド部材と、前記第１のガイド部材と前記第２のガイド部材との間に設けられたスペーサと、を有したことを特徴とするエレベータ用引き戸装置。
【請求項２】
前記第１のガイド部材は前記引き戸に固定される第１の固定金具を有し、前記第２のガイド部材は前記引き戸に固定される第２の固定金具を有し、前記第１の固定金具と前記第２の固定金具との間に前記スペーサを配置したことを特徴とする請求項１記載のエレベータ用引き戸装置。
【請求項３】
前記第１のガイド部材は前記敷居溝の一方の側面と摺動する第１の摺動子を有し、前記第２のガイド部材は前記敷居溝の他方の側面と摺動する第２の摺動子を有し、前記第１の摺動子と前記第２の摺動子との間に前記スペーサを配置したことを特徴とする請求項１記載のエレベータ用引き戸装置。
【請求項４】
前記スペーサは、複数の楔状部材が重ね合わせられて形成されていることを特徴とする請求項１〜３のいずれかに記載のエレベータ用引き戸装置。
【請求項５】
前記複数の楔状部材は、重ね合わせる面に複数の段差部が設けられていることを特徴とする請求項４記載のエレベータ用引き戸装置。
【請求項６】
エレベータの引き戸に固定される引き戸用ガイド脚であって、該ガイド脚は、エレベータの敷居に設けられた敷居溝の一方の側面に案内される第１のガイド部材と、前記敷居溝の他方の側面に案内される第２のガイド部材と、前記第１のガイド部材と前記第２のガイド部材との間に設けられたスペーサと、を有したことを特徴とする引き戸用ガイド脚。
【発明の詳細な説明】
【０００１】
【発明の属する技術分野】
この発明は、エレベータのかご又は乗場に設けられ、その出入口を開閉するエレベータ用引き戸装置及び引き戸用ガイド脚に関するものである。
【０００２】
【従来の技術】
従来、この種のエレベータ用引き戸装置において、引き戸の下端部に設けられたガイド脚は、床に設けられた敷居の敷居溝に沿って摺動可能に案内される摺動子と、この摺動子を引き戸本体に直接又は弾性部材を介して固定する取付金具とを一体に形成したものであった。（例えば、特許文献１参照）
【０００３】
【特許文献１】
特開平１１−３４９２６４号公報（２ページ、図１、図６）
【０００４】
【発明が解決しようとする課題】
上記、従来のエレベータ用引き戸装置におけるガイド脚は、摺動子の厚みを敷居の溝幅に適正に合わせると共に、摺動子とその取付金具とを一体に形成したものであり、敷居の溝幅の大きさに応じてガイド脚全体を製作しなければならない。
【０００５】
ここで、敷居の溝幅は、メーカや機種の違い等により異なる場合が多く、また、リニューアル時においては、かごや建物にしっかりと固定された敷居は取外さずに流用する場合が多い。
【０００６】
従って、敷居を流用しつつ、引き戸を含むリニューアルを行なう場合の多くは、その都度、敷居の溝幅に合わせた摺動子と取付金具を一体に形成したガイド脚全体を製作する必要があり、制作費が高額になるという課題があった。同時に、このようなガイド脚は注文生産となるため、ガイド脚の破損や摺動子の磨耗などによる部品交換においてはタイムリーな調達に支障が生じるという課題があった。
【０００７】
この発明は上記のような課題を解決するためになされたもので、敷居の溝幅の大きさが異なる場合においても容易に対応できると共に、タイムリーな部品調達を可能とするエレベータ用引き戸装置を得ることを目的とする。
【０００８】
【課題を解決するための手段】
この発明におけるエレベータ用引き戸装置は、エレベータの出入口に設けられた引き戸と、一端が引き戸の下端部に固定され、他端が敷居の敷居溝に案内されるガイド脚とを備え、ガイド脚は、敷居溝の一方の側面に案内される第１のガイド部材と、敷居溝の他方の側面に案内される第２のガイド部材と、第１のガイド部材と第２のガイド部材との間に設けられたスペーサとを有したものである。
【０００９】
【発明の実施の形態】
実施の形態１．
図１〜図３は、本発明の実施の形態１におけるエレベータ用引き戸装置の実施の形態の一例を示す図で、図１はエレベータ用引き戸装置の下部を示す斜視図、図２はガイド脚の断面図、図３はガイド脚を構成する楔状部材の斜視図である。
【００１０】
図において、エレベータ乗場に設けられた引き戸１の裏側下端部には取付台２が固定され、エレベータ乗場の床に設けられた敷居３の敷居溝４に案内されるガイド脚５がボルト６により上記取付台２に固定されている。
【００１１】
また、上記ガイド脚５は、敷居溝４の一方の側面に沿って摺動可能に案内される第１のガイド部材７と、敷居溝４の他方の側面に沿って摺動可能に案内される第２のガイド部材８と、上記第１のガイド部材７と第２のガイド部材８との間に設けられてスペーサとして作用する同一形状の楔状部材９ａ、９ｂとから構成されている。なお、楔状部材９ａ、９ｂには上記ボルト６を通すための長穴１０ａ、１０ｂが設けられている。
【００１２】
また、上記第１のガイド部材７及び第２のガイド部材８は、敷居溝４の側面と摺動可能に形成された第１の摺動子７ａ及び第２の摺動子８ａが第１の取付金具７ｂ及び第２の取付金具８ｂに固定されて構成されている。
【００１３】
ここで、敷居溝４と摺動する第１の摺動子７ａ及び第２の摺動子８ａの部分におけるガイド脚５の厚みは、敷居溝４と円滑に摺動させるため、敷居溝４の幅より少しだけ小さい値に設定されている。
【００１４】
上記のように構成されたエレベータ用引き戸装置において、引き戸１にガイド脚５を取付ける手順について説明する。
【００１５】
まず、図３に示すように、楔状部材９ａ、９ｂを、一方の楔状部材の厚みの大きい側が他方の楔状部材の厚みの小さい側となるように配置し、それぞれの厚み方向に合わせる。
【００１６】
次に、楔状部材９ａ、９ｂを、互いに厚みの変化する方向にずらして楔状部材９ａの厚みと楔状部材９ｂの厚みとを合わせた合計の厚み、つまりスペーサとして作用する厚みを変化させ、第１のガイド部材７と第２のガイド部材８との間隙を調整する。この時、敷居溝４と摺動する第１の摺動子７ａ及び第２の摺動子８ａの部分におけるガイド脚５の厚みを敷居溝４の幅より少しだけ小さい値となるように第１のガイド部材７と第２のガイド部材８との間隙を調整し、ガイド脚５の取付を完了する。
【００１７】
なお、上記実施の形態では、各楔状部材９ａ、９ｂにおける楔状部材９ａと楔状部材９ｂとの合わせる面を単に平面で示したが、これを、すべり止めの効果を有する部材を上記平面に貼り付けたもの、又は上記平面をすべり止めの効果を有するように粗い面に仕上げられたものであっても良い。これにより、ガイド脚５に振動／衝撃等が加わった場合においても楔状部材９ａ、９ｂの緩みを防止でき、楔状部材９ａ、９ｂで調整されたスペーサとして作用する厚みを一定に維持することができる。
【００１８】
以上のように、本発明の実施の形態１のエレベータ用引き戸装置は、敷居溝４の溝幅に適合するガイド脚５の厚みを、楔状部材９ａ、９ｂのみで調整できるようにしたので、特に、敷居３を流用しつつ、引き戸１を含むリニューアルを行なう場合において、リニューアルする引き戸１に設けられるガイド脚５の厚みを、流用する敷居３の溝幅に容易に適合させることができるという効果がある。
【００１９】
また、ガイド脚５の厚みを調整する楔状部材９ａ、９ｂは汎用性の有するものであるので、ガイド脚５の破損や第１の摺動子７ａ及び第２の摺動子８ａの磨耗などにおける交換部品はタイムリーに調達できるという効果がある。
【００２０】
実施の形態２．
図４は、本発明の実施の形態２におけるエレベータ用引き戸装置の楔状部材の斜視図である。図において、楔状部材１１ａ、１１ｂには、実施の形態１の図３に示した楔状部材９ａ、９ｂと同様にボルト６を通すための長穴１２ａ、１２ｂが設けられている。但し、楔状部材１１ａ、１１ｂには、楔状部材１１ａと１１ｂとの合わせ面に、階段状に形成された段差部１３ａ、１３ｂを設けており、この点が実施の形態１の図３に示した楔状部材９ａ、９ｂと異なる。
【００２１】
上記のように構成された楔状部材１１ａ、１１ｂを用いたガイド脚５は、実施の形態１と同様の手順で引き戸１に取付けることができる。
【００２２】
以上のように、本発明の実施の形態２のエレベータ用引き戸装置は、楔状部材１１ａ、１１ｂに段差部１３ａ、１３ｂを設けたことにより、ガイド脚５に振動／衝撃等が加わった場合においても楔状部材１１ａ、１１ｂには緩みが発生せず、この楔状部材１１ａ、１１ｂで調整されたスペーサとして作用する厚みを一定に維持することができるという効果がある。
【００２３】
なお、上記実施の形態の楔状部材１１ａ、１１ｂに代えて、厚みが一定の板状部材にボルト６を通すための穴を設け、この厚み一定の板状部材を複数枚重ね合わせると共に、その重ね合わせの枚数を変えることでスペーサとしての厚みを調整するように構成しても良く、これにより上記実施の形態と同様の効果を得ることができる。
【００２４】
実施の形態３．
図５は、本発明の実施の形態３におけるエレベータ用引き戸装置のガイド脚の断面図である。図において、第１の摺動子１４ａと、これを固定した取付金具１４ｂにより第１のガイド部材を構成し、第２の摺動子１５ａと、これを固定した金具１５ｂにより第２のガイド部材を構成する。ここで、楔状部材９ａ、９ｂは、取付金具１４ｂと金具１５ｂとをボルト１６で締付けることで挟持される。なお、第１の摺動子１４ａ及び第２の摺動子１５ａに、ボルト１６を納める穴が設けられ、ボルト１６と敷居溝４の側面との摺動を防止している。
【００２５】
上記のように構成されたガイド脚５は、実施の形態１と同様の手順で引き戸１に取付けることができる。
【００２６】
以上のように、本発明の実施の形態３のエレベータ用引き戸装置は、楔状部材９ａ、９ｂを第１の摺動子１４ａ及び第２の摺動子１５ａの近傍に配置したので、摺動子近傍の機械強度が増大され、ガイド脚５に振動／衝撃等が加わった場合における摺動子近傍の破損防止効果を高めることができるという効果がある。
【００２７】
【発明の効果】
この発明におけるエレベータ用引き戸装置は、敷居溝の溝幅に適合するガイド脚の厚みを、楔状部材のみで調整できるようにしたので、特に、敷居を流用しつつ、引き戸を含むリニューアルを行なう場合において、リニューアルする引き戸に設けられるガイド脚の厚みを、流用する敷居の溝幅に容易に適合させることができる。
【図面の簡単な説明】
【図１】本発明の実施の形態１のエレベータ用引き戸装置の下部を示す斜視図である。
【図２】本発明の実施の形態１のエレベータ用引き戸装置のガイド脚の断面図である。
【図３】本発明の実施の形態１のエレベータ用引き戸装置のガイド脚を構成する楔状部材の斜視図である。
【図４】本発明の実施の形態２のエレベータ用引き戸装置の楔状部材の斜視図である。
【図５】本発明の実施の形態３のエレベータ用引き戸装置のガイド脚の断面図である。
【符号の説明】
１  引き戸、３  敷居、４  敷居溝、５  ガイド脚、７  第１のガイド部材、７ａ  第１の摺動子、７ｂ  第１の取付金具、８  第２のガイド部材、８ａ  第２の摺動子、８ｂ  第２の取付金具、９ａ、９ｂ  楔状部材、１１ａ、１１ｂ  楔状部材、１３ａ、１３ｂ  段差部、１４ａ  第１の摺動子、１４ｂ  取付金具、１５ａ  第２の摺動子、１５ｂ  金具
【図１】
2004244155.tif 000003
【図２】
2004244155.tif 000004
【図３】
2004244155.tif 000005
【図４】
2004244155.tif 000006
【図５】
2004244155.tif 000007